(57)【要約】  本発明は、例えば、ＬＥＤ装置のような照明負荷を駆動するための駆動回路用の、電流変調回路を提供する。電流変調要素が、前記照明負荷と直列に設けられ、データ入力信号に基づいて電流を変調する。フィードバックシステムが、前記電流変調要素を制御し、前記フィードバックシステムは、前記電流変調要素の両端の電圧を使用する第１フィードバック制御経路と、前記データ入力信号を使用する第２フィードバック制御経路とを有する。全体的な電流をドライバから出力される電流と等しくなるよう維持するために電圧フィードバックが使用される。電流における差異は、前記ドライバの出力にあるコンデンサによって吸収される。
2019537868.tif 000002
【特許請求の範囲】
【請求項１】
照明負荷を通る駆動電流を変調するための電流変調器回路であり、
データ入力信号に基づいて前記照明負荷の光出力を変調するための電流変調要素であって、前記照明負荷と直列に接続されるよう適合される電流変調要素と、
前記電流変調要素を制御し、それによって、前記照明負荷を通る電流の変調を実施するためのフィードバックシステムとを有する電流変調器回路であって、前記フィードバックシステムが、
前記電流変調要素の両端の電圧を入力として持つ第１フィードバック制御経路であって、前記電流変調要素の両端の測定電圧を基準電圧と比較するための比較器構成、及び前記電流変調要素の出力と前記電流変調要素の制御入力との間のローパスフィルタを有する第１フィードバック制御経路と、
前記データ入力信号を入力として持つ第２フィードバック制御経路とを有する電流変調器回路。
【請求項２】
前記電流変調要素が、トランジスタを含む請求項１に記載の回路。
【請求項３】
前記測定電圧が、前記電流変調要素の両端の平均電圧である請求項１に記載の回路。
【請求項４】
前記測定電圧が、前記電流変調要素の両端の最小ピーク電圧である請求項１に記載の回路。
【請求項５】
前記電流変調要素が、トランジスタを含み、前記基準電圧が、前記トランジスタが飽和限界で動作するように選択される請求項１に記載の回路。
【請求項６】
前記データ入力信号が、前記ローパスフィルタの或る端子に供給される請求項１に記載の回路。
【請求項７】
前記第２フィードバック制御経路が、前記電流変調トランジスタを通る電流の測定に基づき、前記電流変調トランジスタを通る電流が、前記データ入力信号と比較され、その結果が、ハイパスフィルタを介して前記ローパスフィルタの或る端子に供給される請求項１に記載の回路。
【請求項８】
前記ハイパスフィルタが、前記ローパスフィルタよりも高い周波数で動作する請求項７に記載の回路。
【請求項９】
前記第２フィードバック制御経路が、前記照明負荷の光出力の測定に基づく別の入力信号を持つ請求項１乃至８のいずれか一項に記載の回路。
【請求項１０】
照明負荷を駆動するための駆動回路であって、
第１及び第２ドライバ出力端子間に制御された電流を供給するためのドライバと、
前記第１及び第２ドライバ出力端子間に接続される出力コンデンサと、
請求項１乃至９のいずれか一項に記載の電流変調器回路と、
照明負荷に接続するための第１及び第２駆動回路出力とを有する駆動回路。
【請求項１１】
請求項１０に記載の駆動回路と、
前記第１及び第２駆動回路出力間に接続され、前記駆動回路によって駆動される照明負荷とを有する照明回路。
【請求項１２】
照明負荷を通る駆動電流を変調する方法であり、
電流変調要素を使用して前記照明負荷を通る電流を変調することによって前記照明負荷の光出力を変調するステップを有する方法であって、前記方法が、前記電流変調要素の両端の電圧を入力として持つ第１フィードバック制御経路と、前記データ入力信号を入力する第２フィードバック制御経路とを有するフィードバックシステムを使用して前記電流変調要素を制御するステップを有し、前記第１フィードバック制御経路が、前記電流変調要素の両端の測定電圧を基準電圧と比較し、前記電流変調要素の出力と前記電流変調要素の制御入力との間でローパスフィルタリングをする方法。
【請求項１３】
前記電流変調要素が、トランジスタを含み、前記方法が、前記第１フィードバック制御経路のための前記基準電圧を、前記トランジスタが飽和限界で動作するように設定するステップを有する請求項１２に記載の方法。
【請求項１４】
前記第２フィードバック制御経路が、前記電流変調要素を通る電流を測定し、前記電流変調要素を通る電流を前記データ入力信号と比較し、その結果を、ハイパスフィルタを介して前記ローパスフィルタの或る端子に供給する請求項１２に記載の方法。
【請求項１５】
前記ハイパスフィルタが、前記ローパスフィルタよりも高い周波数で動作する請求項１４に記載の方法。
【発明の詳細な説明】
【技術分野】
【０００１】
本発明は、光出力を符号化することによるデータの通信に関する。
【背景技術】
【０００２】
データを送信するためにＬＥＤが使用される可視光通信システムが知られている。ＬＥＤ電流の速い変化が供給され、これは変化する光出力を生じさせ、これはデータストリームを伝達する。光の変動は、如何なる視覚的な光のちらつきも回避するのに十分に高速であり得る。このやり方においては、照明構成要素は、例えば、センサデータを照明器具から中央コントローラに無線で送信するために、互いに又は中央システムコントローラと通信することができる。
【０００３】
ＬＥＤ電流（又は他の任意の電流駆動照明負荷の電流）をデータで変調するために使用されることができる適切な回路が必要とされている。しかしながら、標準的な市販のドライバは一定のＡＣ電流を供給する。これは、所望の変調光出力を供給するためにＬＥＤを通る電流を変調することを困難にする。
【０００４】
図１は、変調出力電流をＬＥＤ負荷１０に供給するための３つの可能な一般的手法を概略的な形態で示している。
【０００５】
第１手法は、一般的にはスイッチモード電力変換器である主ドライバの修正された制御に基づいて電流変調を達成するものである。アナログ入力電圧「Ｖｒｅｆ」、あるいはデジタルパルス幅変調無効化信号「ＰＷＭ無効化（PWM disable）」が、ドライバの出力において伝送ゲート１２を制御する。これは、低速データ、例えば、スイッチモード電力変換器のスイッチング周波数に対応する２０キロビット／秒未満のデータに対してうまく機能する。
【０００６】
第２手法は、並列分路１４を使用するものである。これは、ＬＥＤ電流にバイパスを供給することによってＬＥＤをオフにする。これは、かなりの量のエネルギを浪費するおそれがある。
【０００７】
第３手法は線形変調器１６を使用するものである。これは、ＬＥＤ負荷１０と直列の電流調整器として機能するトランジスタを制御することによって電流変更を供給する。これは、より電力効率の良い解決策である。
【０００８】
ドライバの出力は、出力コンデンサを有する。上記の第１及び第２手法の場合は、出力コンデンサは、非常に小さくすべきであるのに対して、第３手法の場合は、出力コンデンサは、非常に大きくすべきである。
【０００９】
出力電圧を供給するドライバに対する線形変調器の実装は可能である。この場合には、線形変調器は、固定電圧レール間の電流を制御するための電流制御要素として機能する。それは、例えば、制御されたソース・レイン電流を有するＭＯＳトランジスタを含む。結果として生じる電流は、変調機能を制御するためのフィードバック制御パラメータとして使用され得る。
【００１０】
しかしながら、標準的なＬＥＤドライバは、電圧ではなく調整された電流を供給する。その場合、主ドライバで調整される出力電流と、ローカル電流制御との間には非両立性がある。
【００１１】
とりわけ、電流変調トランジスタと直列の電流調節ＬＥＤドライバは制御が難しいことが知られている。この回路は、基本的に、２つの電流源、即ち、供給源であるＬＥＤドライバと、負荷として機能する電流変調器とを直列に有する。これらの２つの電流のわずかな不一致によって、変調電流のクリッピングが生じるかもしれず、又はドライバの出力電圧の急激な増加が生じるかもしれず、これもまた、電流変調器における大幅な電力損失をもたらす。
【００１２】
EP 2 547 174は、ＬＥＤにおいて一定の平均電流を維持するために電流フィードバックループがドライバに供給される第３手法による線形変調器の使用を示している。EP 2 547 174のフィードバックループは、フィードバックループにおいて変調電流が最小化されるようにローパスフィルタを有する。このようなフィードバックループは、平均電流しか考慮していないことから、ドライバの出力電圧においてあり得るドリフトを補償しない。
【００１３】
US 2015/0115809において他の変調の可能性が示されているが、それらのいずれも、変調要素がＬＥＤと直列に取り付けられるときに標準的な電流ドライバの出力における電圧ドリフトを補償する方法を示していない。
【発明の概要】
【発明が解決しようとする課題】
【００１４】
それ故、線形変調器の効率上の利点を得ることを可能にするが、標準的な、従って、低コストの調整電流ドライバを使用することも可能にする回路設計が必要とされている。
【課題を解決するための手段】
【００１５】
本発明は、請求項によって規定される。
【００１６】
本発明の或る態様による例によれば、照明負荷を通る駆動電流を変調するための電流変調器回路であり、
データ入力信号に基づいて前記照明負荷の光出力を変調するための電流変調要素であって、前記照明負荷と直列に接続されるよう適合される電流変調要素と、
前記電流変調要素を制御し、それによって、前記照明負荷を通る電流の変調を実施するためのフィードバックシステムとを有する電流変調器回路であって、前記フィードバックシステムが、第１フィードバック制御経路と第２フィードバック制御経路とを有する電流変調器回路が提供される。前記第１フィードバック経路は、前記電流変調要素の両端の電圧を入力として持ち、比較器構成（comparator arrangement）とローパスフィルタとを有する。前記比較器構成は、前記変調要素の両端の測定電圧を基準電圧と比較するために接続される。前記ローパスフィルタは、前記電流変調要素の出力と前記電流変調要素の制御入力との間に配置される。前記第２フィードバック制御経路は、前記データ入力信号を入力として持つ。
【００１７】
この変調器回路は、２つのフィードバック制御経路を供給する。一方は、相対的に低い周波数、例えば、ＤＣで動作し、制御は、前記電流変調要素の両端の電圧に基づく。ローパスフィルタリングによって得られる平均ＤＣ電圧は、前記ドライバの出力における平均電圧を表わす。従って、この電圧フィードバックは、前記電流変調要素の一般的な定常状態動作条件を安定させる。前記第２フィードバック経路は、前記データ変調を供給する。このやり方においては、前記変調電流において、電圧ドリフトを防止するために前記ドライバによって供給される一定の入力電流に合うよう補償がなされ得る。
【００１８】
前記電流変調要素は、例えば、（ＭＯＳＦＥＴ、他のタイプのＦＥＴ若しくは他のタイプのトランジスタなどの）トランジスタ又は任意の他の制御可能な半導体デバイスを含む。
【００１９】
前記電流変調要素の両端の電圧に基づくフィードバックは、前記電流変調要素を明確に規定された動作モードに保つと同時に損失を低く抑えることを目的とする。
【００２０】
電流変調回路への供給電流と前記電流変調素子を通る平均電流との間の誤差は、前記電流変調回路の動作電圧と照明負荷電圧との間の電圧差として積分時間（integrated time）にわたって測定されることができる。電圧降下は、前記平均電流及び前記変調電流を調整するためのヘッドルーム（headroom）を前記電流変調要素に供給する。小さすぎる電圧ヘッドルームは、前記変調電流が劣化させ、高すぎるヘッドルーム電圧は、過大な電力損失がもたらすだろう。
【００２１】
他の例においては、両方とも前記電流変調要素の動作に影響を及ぼす電流強度の制御及び／又は（典型的には電解）コンデンサの経年変化（静電容量の減少は電圧のピークツーピーク振幅を増大させる）に基づく調光を許容するために、最低電圧が、監視され、フィードバック信号として使用されることができる。このやり方においては、前記電流変調要素の両端の電圧は、前記照明負荷の特性に依存する動的な値をとる。
【００２２】
従って、本発明は、前記電流変調要素の低周波（例えば、ＤＣ平均）電圧を制御すること、又はピーク（例えば、最小）電圧を基準制御電圧と等しくなるよう制御することに基づいている。（前記電流変調要素を通る電流と等しい）前記ＬＥＤ負荷を通るＡＣ（高周波）電流は、変調データ信号に比例して制御される。
【００２３】
前記第１フィードバック制御経路（例えば、ＤＣ制御ループ）は、例えば、前記電流変調要素の両端の電圧を測定し、基準電圧の方へ調整するために、例えば、積分機能及び比例積分制御を含む、演算増幅器を有する。上述のように、前記測定電圧は、例えば、前記電流変調要素の両端の平均電圧である、又は前記測定電圧は、前記電流変調要素の両端のピーク電圧、とりわけ、前記電流変調要素の両端の最小ピーク電圧であってもよい。
【００２４】
前記電流変調要素の両端の平均電圧降下の要件は、平均電流及び変調度だけでなく、（照明負荷のタイプによって異なる）前記照明負荷のＶ−Ｉ特性、並びに直列及び並列の照明要素の数などの前記照明負荷の構成にも強く依存する。
【００２５】
前記最小ピーク電圧は、前記電流変調要素によって供給される前記ヘッドルームの尺度を供給する。これが低レベルにあることを確実にすることにより、前記システムの効率が、低損失を維持することによって改善される。
【００２６】
例として、ＬＥＤのＥＳＲ（等価直列抵抗）は、前記駆動電流に依存する。典型的には、前記ＥＳＲは、より低い電流レベルにおいては、例えば、照明器具を減光するときには、増加する。変調効率を最適化は、変調器の両端の最小平均電圧降下を必要とし、変調信号が歪まないことを確実にするためには前記変調器の両端の最小電圧が必要とされる。前記変調器が前記照明負荷のタイプ及び構成に対して適応性があるためには、前記駆動電流は、効率を改善するためにその平均電圧降下を適応させる能力が必要である。このため、前記変調器の両端の平均電圧降下を動的なやり方で制御するための良い入力信号は、実際には、（前記変調器が決して飽和しないような）前記変調器の両端の最小電圧である。
【００２７】
前記電流変調要素は、例えば、上で説明したようなトランジスタを含み、その場合、前記基準電圧は、前記トランジスタが、線形モードで動作するが、飽和限界の近くで動作するように選択される。これは、前記回路の効率的な動作を供給する。
【００２８】
前記フィードバックシステムは、前記電流変調要素の出力と前記電流変調要素の制御入力との間にフィルタを含み得る。これは、流れるＤＣ電流に基づく制御を可能にするために使用される。この目的のために、前記フィルタは、例えば、ローパスフィルタを含む。前記ローパスフィルタは、比例積分フィルタとして実施されてもよい。
【００２９】
前記データ入力信号は、前記フィルタの或る端子に供給されてもよい。これは、結合（joint）高周波（ＡＣ）及び低周波（ＤＣ）制御ループを供給する。前記第１（ＤＣ）フィードバック制御経路は、前記電流変調要素に関連する電圧に基づき、前記第２（ＡＣ）フィードバック制御経路は、前記データ入力信号を注入することによって実施される。これは、閉ループＡＣ制御を供給する。
【００３０】
他の例においては、ＡＣ制御ループは、前記電流変調トランジスタを通る電流の測定に基づいてもよく、前記電流変調トランジスタを通る電流は、前記データ入力信号と比較され、その結果は、ハイパスフィルタを介して前記ローパスフィルタの或る端子に供給される。前記ハイパスフィルタは、前記ローパスフィルタよりも高い周波数で動作する。
【００３１】
これは、低周波フィードバック制御経路及び高周波フィードバック制御経路のために別々の閉ループＡＣ制御ループ及び閉ループＤＣ制御ループを供給する。
【００３２】
前記ＡＣ制御ループは、更に、前記ＬＥＤ負荷の光出力の測定に基づく入力信号を含んでもよい。これは、様々な光学効率を考慮に入れることを可能にする。
【００３３】
前記変調器は、通常、一段ＬＥＤドライバの出力に現れる主電源リップルを抑えるように設計されることもできる。そうするために、前記ＬＥＤ電流は、測定され、フィルタを介して供給され、次いで、変調器入力信号に加えられることができる。
【００３４】
本発明は、照明負荷を駆動するための駆動回路であって、
第１及び第２ドライバ出力端子間に制御された電流を供給するためのドライバと、
前記第１及び第２ドライバ出力端子間に接続される出力コンデンサと、
上で規定されているような電流変調器回路と、
照明負荷に接続するための第１及び第２駆動回路出力とを有する駆動回路も提供する。
【００３５】
この回路は、前記ドライバからの出力電流と前記照明負荷を通る電流とが短い時間スケールでは異なることを可能にするためにコンデンサを利用するが、長期にわたる平均電流は同じである。従って、前記電流変調要素は、前記ドライバによって供給される電流と等しい平均電流を供給する。変動は、前記平均電流の上に重畳される変調電流である。前記フィードバックシステムは、前記平均電流が等しいままであることを確実にする。
【００３６】
前記第１フィードバック制御経路は、前記電流変調要素の動作点を設定し、長期にわたって全体的なドライバ電流と照明負荷積分電流との間の整合を供給する。前記第２フィードバック制御経路は、前記データ変調を実施し、前記ドライバ電流と前記照明負荷電流との間の変動は、前記コンデンサへの及び前記コンデンサからの電荷の流れをもたらす。
【００３７】
本発明は、
上で規定されているような駆動回路と、
前記駆動回路によって駆動される照明負荷とを有する照明回路も提供する。
【００３８】
前記照明負荷は、好ましくは、直列及び／又は並列のＬＥＤを含むＬＥＤ装置を有する。
【図面の簡単な説明】
【００３９】
ここで、添付図面を参照して、本発明の例を詳細に説明する。
【図１】変調出力電流をＬＥＤ負荷に供給するための３つの可能な一般的な従来技術の手法を概略的な形態で示す。
【図２】光変調を適用するための駆動回路の第１設計を示す。
【図３】２つの制御ループを備える別の設計を示す。
【図４】回路の動作をシミュレートすることを可能にする回路モデルを示す。
【図５】シミュレーション結果を示す。
【図６Ａ】図３の回路の実施例をより詳細に示す。
【図６Ｂ】図３の回路の実施例をより詳細に示す。
【発明を実施するための形態】
【００４０】
本発明は、例えば、ＬＥＤ装置のような照明負荷を駆動するための駆動回路用の、電流変調回路を提供する。電流変調要素が、照明負荷と直列に設けられ、データ入力信号に基づいて電流を変調する。フィードバックシステムが、電流変調要素を制御し、前記フィードバックシステムは、電流変調要素の両端の電圧を使用する第１フィードバック制御経路と、データ入力信号を使用する第２フィードバック制御経路とを有する。電流における差異は、ドライバの出力にあるコンデンサによって吸収される。電圧フィードバックは、平均電流をドライバによって出力される電流の近くに維持しながら、ドライバの出力におけるコンデンサの両端の電圧のドリフトを回避するために使用される。
【００４１】
図２は、ＬＥＤ負荷２２のような照明負荷を駆動するための駆動回路２０を示している。駆動回路２０は、ＬＥＤ負荷２２を除く図２において示されている全ての部品である。
【００４２】
ＬＥＤドライバは、電流源２４として示されており、電流源２４は、第１及び第２ドライバ出力端子２６、２８間に制御された電流を供給する（典型的にはスイッチモード）電源を表している。これらの出力端子は、ＬＥＤ負荷に供給される電流を制御するための電流変調器回路に接続する。
【００４３】
第１及び第２ドライバ出力端子２６、２８の間には出力コンデンサ３０が接続され、出力コンデンサ３０は、負荷電流が変化する間もドライバ出力電流が一定になり得るように電流を吸収又は供給する。
【００４４】
回路２０は、ＬＥＤ負荷２２に接続するための第１及び第２駆動回路出力３２、３４を有する。
【００４５】
バイポーラトランジスタなどのトランジスタ、又は電界効果トランジスタ、とりわけ、ＭＯＳＦＥＴの形態の電流変調要素３６が、ＬＥＤ負荷２２と直列に接続される。電流変調要素３６は、データ入力信号Ｖｄａｔａに基づいてＬＥＤ負荷２２の光出力を変調するために設けられる。第１駆動回路出力３２は、第１ドライバ出力端子２６に接続され、第２駆動回路出力３４は、電流変調トランジスタ３６を介して第２ドライバ出力端子２８に接続される。（代わりに、端子２８が、「第１」ドライバ出力端子であるとみなされ得るように）代わりに、トランジスタ３６はハイサイドにあってもよい。
【００４６】
フィードバックシステム３８は、電流変調トランジスタ３６を制御し、それによって、ＬＥＤ負荷２２を通る電流の変調を実施するために設けられる。フィードバックシステム３８は、電流変調トランジスタ３６の両端の電圧の第１入力Ｖｍｏｄと、データ入力信号Ｖｄａｔａの第２入力とを有する。これらの２つの入力は、異なる周波数で動作する別々のフィードバック制御経路を実施する。一方の制御経路は、低周波定常状態制御経路であり、他方の制御経路は、高周波データ変調制御経路である。
【００４７】
トランジスタ３６の動作範囲は、例えば、トランジスタのソース・ドレイン間の平均電圧を制御することによって、保証される。ＬＥＤドライバ２４の供給電流とトランジスタ３６を通る平均電流との間の電流差は、ＬＥＤドライバ出力２６、２８間の電圧差及びＬＥＤ電圧に基づいて経時的に監視される。
【００４８】
トランジスタ３６の両端の電圧降下は、平均電流と変調電流との両方を調整するためのヘッドルームをトランジスタに供給する。小さすぎる電圧ヘッドルームは、変調電流が劣化させ、高すぎるヘッドルーム電圧は、過大な電力損失がもたらすだろう。
【００４９】
トランジスタを通る（平均電流から生じる）平均電圧を監視する代わりに、最大電流から生じる電圧が監視されてもよい。これは最低電圧に対応する。これはシステムが電流強度調光を許容することを可能にし、電流調光は平均電圧をシフトダウンする。同様に、電解コンデンサ３０の経年変化が補償され得る。これらは両方ともトランジスタの動作に影響を与える。
【００５０】
フィードバックシステム３８は、（トランジスタの両端の電圧Ｖｍｏｄにおける）ゆっくりとした平均電圧変化のみがフィードバックパラメータとして使用されるように、フィルタ４０、とりわけ、ローパスフィルタを含む。ローパスフィルタは、比例積分（ＰＩ）フィルタを含み得る。フィルタは、電流変調トランジスタ３６の出力（例えば、ドレイン）と、電流変調トランジスタ３６の制御入力（例えば、ゲート）との間にある。
【００５１】
図２の回路は、２つのフィードバック制御経路を兼ね備える単一のループを有する。フィルタ４０が、ＤＣフィードバック制御経路を実施し、データ入力信号Ｖｄａｔａが、フィルタの或る端子に供給され、それによって、単一のループにＡＣ制御経路を追加する。制御ループにおいて、測定電圧Ｖｍｏｄと基準電圧Ｖｒｅｆとの間の第１差分電圧が、（Ｖｍｏｄに対する負の入力を備える、即ち、演算増幅器を使用して実施される減算器／比較器）加算器を使用して生成され、制御ループにデータ電圧Ｖｄａｔａが加えられる。
【００５２】
代わりに、ＡＣフィードバック制御経路（Ｖｄａｔａ）及びＤＣフィードバック制御経路（Ｖｒｅｆ）を実施するための２つの別個の制御ループが存在してもよい。
【００５３】
図３は、２つのフィードバック制御経路のために２つの制御ループを備える別の設計を示している。
【００５４】
ＤＣ制御ループは、上で説明したようにローパスフィルタ４０を含む。
【００５５】
ＡＣ制御ループは、トランジスタ３６及びＬＥＤ負荷２２と直列の電流検出抵抗器４２を用いた電流変調トランジスタ３６を通る電流の測定に基づく。電流変調トランジスタ３６を通る電流に基づく信号（とりわけ、電流検出抵抗器の両端の電圧）が、データ入力信号Ｖｄａｔａと比較され、その結果が、ハイパスフィルタ４４を介してローパスフィルタの或る端子に供給される。
【００５６】
ＤＣ制御ループにおいては、測定電圧Ｖｍｏｄと基準電圧Ｖｒｅｆとの間の第１差分電圧が、（Ｖｍｏｄに対する負の入力を備える、即ち、演算増幅器を使用して実施される減算器／比較器）加算器を使用して生成される。ＡＣ制御ループにおいては、抵抗器４２の両端の検出電圧とデータ電圧との間の第２差分電圧が、（抵抗器電圧に対する負の入力を備える、即ち、演算増幅器を使用して実施される減算器／比較器）第２加算器を使用して生成される。次いで、ハイパスフィルタ処理された結果が、ＤＣ制御ループに加えられる。
【００５７】
従って、ＡＣ制御経路は、変調信号をトランジスタの制御入力に直接結合し、それによって、開ループフィードフォワード制御を供給することによって（図２）、又は実際のトランジスタ又はＬＥＤ負荷電流と変調信号を比較するフィードバックループを使用し、ハイパスフィルタを備えるフィードバックループを介して差を供給することによって（図３）、実施され得る。ハイパスフィルタは、ＤＣをブロックする。
【００５８】
高速データ用の開ループ制御と低周波数データ（約１００Ｈｚ乃至３００Ｈｚ）用の閉ループとの組み合わせも、主電力ドライバに起因するちらつきを減らすために使用され得る。例えば、測定ＬＥＤ電流が、フィルタを介して供給され、次いで、変調器入力信号に加えられてもよい。
【００５９】
ＤＣ制御ループは、損失を低く抑えると同時にトランジスタを明確に規定された動作モードに保つ、例えば、線形モードで動作するが、低損失のために飽和点の近くで動作する。
【００６０】
トランジスタは、線形モードで動作することによって、制御可能な電流源として機能する。例えば、トランジスタの両端の電圧が増加する場合には、ドライバ電流のより多くの部分がコンデンサに流れ込み、従って、ＬＥＤを流れる電流は少なくなる。
【００６１】
基準電圧Ｖｒｅｆは、一定の電圧レベルであり得る。しかしながら、基準電圧は、ＬＥＤ負荷の光出力の所望の変調度を可能にするためのちょうど十分な大きさであることを確実にするよう適応可能であってもよい。例えば、変調器は、未知の個数のＬＥＤ、又はドライバからの可変電流に自動的に適応し、可変変調度を実施することを可能にすることができる。この手法は、下で図６を参照して詳細に説明される。
【００６２】
所与の変調度（即ち、ベース信号と比較した変調信号の相対サイズ）を供給するためにトランジスタが取り扱うべき電圧マージンは、トランジスタと直列のＬＥＤの数に線形に依存する。電圧マージンは、電流強度にも線形に依存し、これは、例えば、調光可能なドライバに関連する。最後に、電圧マージンは、変調度にも線形に依存する。
【００６３】
基準電圧Ｖｒｅｆの自動コンフィギュレーションを供給するために、ＡＣフィードバックループは、ＬＥＤ光出力の測定値も使用し得る。この場合には、ＬＥＤ出力の非線形性も考慮に入れられ得る。データ変調がない長期間の間、トランジスタの両端の電圧は、ほぼゼロまでゆっくり減らされることができる。これは、変調が適用されないときの変調器の損失を制限する。
【００６４】
トランジスタのドレイン（又はコレクタ）における最小ピーク電圧がフィードバックパラメータとして使用される場合には、代わりに、ＤＣフィードバックループによって、変調がない長期間の間のトランジスタの両端の電圧の低減及び基準電圧の自動調節が達成され得る。
【００６５】
基準電圧Ｖｒｅｆは、異なる駆動電流、ＬＥＤ、及びＬＥＤ構成に従って設定されることができるように動的に調節可能であってもよい。一定の出力及び一定のＬＥＤ照明器具の場合は、Ｖｒｅｆは、一定値に設定され得る。
【００６６】
最も効率的な変調回路を得るためには、トランジスタの両端の電圧降下が可能な限り低くなければならない。必要な電圧振幅（voltage swing）は、ＬＥＤの数、電流強度及び変調度に依存する。しかしながら、トランジスタが適切に機能するためには、前記トランジスタのドレイン（又はコレクタ）電圧が、決して０Ｖ近くに到達しない（又は実際には、ドレイン・ソース（若しくはエミッタ・コレクタ）電圧とドレイン（若しくはエミッタ）回路内の検出抵抗器における電圧との合計がゼロ近くまで低下しない）ことを確実にすれば十分である。
【００６７】
ソース（又はエミッタ）における最小電圧を測定する回路は、この最小ピーク電圧を基準Ｖｒｅｆに調整するフィードバックループを設けることによって、この制御を可能にする。このやり方においては、トランジスタの飽和を回避しながら、ＬＥＤの数、電流強度及び変調度におけるあらゆる変動に対して最適な効率が保証される。
【００６８】
上記の回路においては、トランジスタは、アナログ方式で制御され、アナログ制御可能な電流源として機能する。しかしながら、トランジスタは、代わりに、速いスイッチング速度でハードオン・オフモード（hard on-off mode）で動作されてもよい。トランジスタは、このやり方においては、パルス幅変調を実施し得る。その場合、ＡＣ及びＤＣ制御ループは、スイッチング速度を十分に下回る周波数で動作され得る。ＡＣ制御ループはまた、ＰＷＭ信号をフィルタ処理するだろう。
【００６９】
例として、１６ｋＨｚでのパルススイッチ変調を備える符号化光注入器回路の場合は、ＡＣ制御ループは、数百Ｈｚから数ｋＨｚ（及び１６ｋＨｚ未満）までの通過帯域を有するべきである。
【００７０】
ＡＣ制御ループはまた、主電源周波数の２倍の周波数、即ち、１００Ｈｚ又は１２０ＨｚでＬＥＤ電流を制御してもよい。その場合には、主ドライバからのリップルが減らされる。この回路は、その場合、リップル低減回路として使用され得る。
【００７１】
回路の動作がシミュレートされた。図４は、シミュレートされた回路を示している。
【００７２】
ＬＥＤドライバ２４は、理想的な電流源Ｉ１、ダイオードＤ２及び電圧源Ｖ１によって実現される過電圧保護、出力ダイオードＤ３並びに出力コンデンサＣ１としてシミュレートされている。
【００７３】
符号化光注入器は、入力コンデンサ３０（Ｃ２）、トランジスタ３６（Ｑ１）及び電流検出抵抗器４２（Ｒ４２）を有する。
【００７４】
電圧Ｖｍｏｄのローパスフィルタ処理されたものが、ＶＣＴＲＬとして供給され、検出電流（Ｉ＿ＤＣ）とデータ入力との比較結果のハイパスフィルタ処理されたものが、ＶＣＴＲＬ２として供給される。それらは、トランジスタ３６のゲートにおいて合計される。
【００７５】
図５は、シミュレーション結果を示している。一番上のグラフは、ＬＥＤ電力を示している。２番目のグラフは、変調トランジスタＱ１内の電力損失を示している。３番目のグラフは、データ入力を示しており、一番下のグラフは、ＬＥＤ電流を示している。
【００７６】
これらのシミュレーション結果は、３９，３２６Ｗの平均ＬＥＤ電力と比較して変調トランジスタにおいて０，３０５Ｗの電力損失を伴う７００ｍＡの平均ＬＥＤ電流を示している。ドライバによって供給される電力は４０Ｗである。シミュレーションは、回路がどれだけ効率的に動作することができるかを裏付けている。
【００７７】
図６は、電流変調要素の両端の最小電圧の検出を利用する回路の第２例を示している。
【００７８】
図６Ａは、
振幅変調回路６０と、
電流調整回路６２と、
負帰還経路６４と、
平均電流設定回路６６と、
ＬＥＤ電流検出回路６８と、
平均ドレイン電圧検出回路７０とを示している。
【００７９】
図６Ａの回路は、Ｘ及びＹとして示されているノードにおいて図６Ｂの回路に接続する。図６Ｂは、最小ピーク検出器７２を示している。
【００８０】
図６ＡにおけるトランジスタＭ１は、変調トランジスタである。ＬＥＤ電流は、電流検出回路６８の抵抗器Ｒ１６を介して検出され、平均電流設定回路６６内のローパスフィルタＲ１４及びＣ２を介して平均される。Ｃ２の両端の電圧が、平均ＬＥＤ電流を表わし、電流調整ユニット６２内の演算増幅器Ｕ１の「＋」入力に供給される。
【００８１】
瞬時ＬＥＤ電流は、ＬＥＤ電流検出回路内のＲ１０及びＲ１６（Ｒ１０は０オームであり得る）を介して検出される。この信号は、電流調整ユニット６２内の演算増幅器Ｕ１の「−」入力に供給される。このやり方においては、誤差信号（「＋」と「−」との間の差分電圧）が、ＬＥＤ電流のＡＣ成分である。演算増幅器Ｕ１及びその帰還コンデンサＣ１０は、ＰＩコントローラを形成する。誤差信号は、積分され、演算増幅器Ｕ１の出力は、変調トランジスタＭ１に駆動信号を供給する。
【００８２】
トランジスタＭ１のドレイン電圧は、平均ドレイン電圧検出回路７０内の分圧器Ｒ７及びＲ８を介して検出される。この電圧は、次いで、平均電流設定回路６６内のＣ２及びＲ５によって平均される。それ故、平均ドレイン電圧のみがフィードバック回路に加えられる。これは、反応の遅いループである。
【００８３】
データ変調は、振幅変調回路６０内のコンデンサＣ９のＡＣ結合を介して演算増幅器Ｕ１の「−」入力に注入される。これは、瞬時電流検出値にデータ変調を加える。これは閉ループ変調である。抵抗器Ｒ２７は変調度を決定する。
【００８４】
フィードバックループは、フィードバックループ６４の帯域幅の適切な調整を介して高周波数変調（データ）を通過させながら、ループ６６内のローパスフィルタにより低周波数変調（例えば、ＬＥＤドライバからの１００Ｈｚリップル）を抑えるだろう。このやり方においては、低周波リップルは、変調器によって除去され、ＬＥＤ電流は、低周波リップルを含まず、もっと正確に言えば、高周波変調データしか含まないだろう。
【００８５】
回路は、図６Ｂにおいて示されている最小ピーク検出器も含む。この回路は、反応の速い回路を介してドレイン電圧の谷を検出する。ドレイン電圧は、Ｄ５及びＲ９を介してコンデンサＣ７を充電する。この回路は長い時定数を持つ。更に、Ｖｃｃ電圧も、Ｃ７を充電し、Ｃ７を高レベルに保とうとする。Ｃ７の放電は、直接Ｄ２を介して行われ、従って、ずっと速い時定数を持つ。このやり方においては、Ｃ７の両端の電圧は、トランジスタＭ１のドレインの谷電圧（即ち、最小ピーク）を表わすだろう。この信号は、更に、Ｒ１３、Ｒ６、Ｃ８及びＤ１０によってフィルタ処理される。コンデンサＣ８における電圧は、ドレインの最小ピーク電圧を表わすクリーンな信号である。
【００８６】
演算増幅器Ｕ２は、最小ピークを分圧器Ｒ１５及びＲ１９によって供給される（一定の）設定値（setpoint）と比較する。Ｕ２の出力は、Ｕ１の「＋」入力ノードに注入される。このやり方においては、フィードバックループは、ドレイン電圧の最小ピークを一定のレベルに維持するだろう。このやり方においては、平均ドレイン電圧は、動的なやり方で制御され、ＬＥＤ電流、ＬＥＤのタイプ、変調度、電解静電容量（electrolytic capacitance）及び寿命（age）などに依存する。
【００８７】
この回路は、代わりに最小谷電流の検出を使用し、これを一定レベルに設定することによって、電流変調トランジスタの両端の電圧がどのように動的なやり方で効率的に制御されるかを示している。
【００８８】
図６の回路の基本原理は、図４の場合と同じである。信号の加算及び減算は、演算増幅器Ｕ１の入力において実施される。図６においては、データ変調は、演算増幅器の「−」入力に注入される。このため、データ信号は最初に反転される。
【００８９】
本発明は、一般に、所謂符号化光及び所謂ＬｉＦｉのようなデータが光を介して変調される照明用途に関連する。例えば、屋内測位システムは、符号化可視光通信を利用し得る。
【００９０】
本発明は、代わりに、低コストのドライバ又は安定器のエネルギ効率の良い電流リップル低減を可能にする。
【００９１】
当業者は、請求項に記載の発明を実施する際に、図面、明細及び添付の請求項の研究から、開示されている実施例に対する他の変形を、理解し、達成し得る。請求項において、「有する」という用語は、他の要素又はステップを除外せず、単数形表記は、複数の存在を除外しない。単に、特定の手段が、互いに異なる従属請求項において挙げられているという事実は、これらの手段の組み合わせが有利になるように用いられることができないことを示すものではない。請求項における如何なる参照符号も、範囲を限定するものとして解釈されてはならない。
【図１】
2019537868.tif 000003
【図２】
2019537868.tif 000004
【図３】
2019537868.tif 000005
【図４】
2019537868.tif 000006
【図５】
2019537868.tif 000007
【図６Ａ】
2019537868.tif 000008
【図６Ｂ】
2019537868.tif 000009
【国際調査報告】
2019537868.tif 000010
2019537868.tif 000011